(57)【特許請求の範囲】
【請求項１】
記録紙の代わりに２次元表示器を用い、表示画面に表示される共通の目盛板上に測定チャネルに対応し測定チャネルの測定値の変化に応じて移動する複数のポインタを表示するように構成されたペーパーレスレコーダにおいて、
前記複数のポインタのうち、基準となるポインタに対してその他のポインタを時間軸方向に沿って所定量移動させるためのポイント位置計算手段を設け、
複数のポインタが重なった場合に該当するポインタを一時的に時間軸方向に沿って所定量移動させることを特徴とするペーパーレスレコーダ。
【請求項２】
先端部が前記目盛板の基底線から離れているポインタには、目盛板の目盛を読み取りやすくするためのポインタと同じ色の補助線が付加されていることを特徴とする請求項１に記載のペーパーレスレコーダ。
【請求項３】
各測定チャネルにパターンおよびサイズの異なる任意のポインタを割り当てることを特徴とする請求項１または請求項２に記載のペーパーレスレコーダ。
【請求項４】
前記ポイント位置計算手段は、
前記目盛板の横幅や高さを含む寸法データを格納する目盛板寸法データ格納部と、
前記目盛板上に表示されるポインタの大きさを表す寸法データを格納するポインタ寸法データ格納部と、
前記目盛板上に表示されるポインタの数を格納する目盛板上ポインタ数格納部と、
これら目盛板寸法データ格納部とポインタ寸法データ格納部と目盛板上ポインタ数格納部に格納されているそれぞれの値に基づき、基準となるポインタに対してその他のポインタを時間軸方向に沿って移動させるための適切なオフセット量を計算するポインタオフセット量計算部、
を備えていることを特徴とする請求項１から請求項３のいずれかに記載のペーパーレスレコーダ。
【発明の詳細な説明】
【技術分野】
【０００１】
本発明は、記録紙の代わりに２次元表示器を用いたペーパーレスレコーダに関し、詳しくは、各測定チャネルの現在の測定値を明示するポインタに関するものである。
【０００２】
アナログ入力信号のレベル変化の状態を長期間にわたって記録するレコーダの一種に、記録紙の代わりに液晶や有機ＥＬなどの２次元表示器を用いた特許文献１に記載されているようなペーパーレスレコーダがある。
【０００３】
図９は、従来のペーパーレスレコーダの一例を示すブロック図である。図９において、制御部１、測定部２、メモリ３、設定部４、表示位置計算部５および表示制御部６は、互いにバスを介して接続されている。
【０００４】
制御部１は、ペーパーレスレコーダとしての全体の動作を統括制御する。
【０００５】
測定部２は、電圧などのアナログ入力信号をデジタル値の測定データに変換する。
【０００６】
メモリ３は一連の測定動作に関連した各種データを格納するものであり、測定データ格納部３ａ、設定データ格納部３ｂ、ポインタデータ格納部３ｃ、合成領域３ｄなどが設けられている。
【０００７】
設定部４は、測定チャネルごとの各種測定条件の設定や、表示記録動作モードの設定などを行う。
【０００８】
表示位置計算部５は表示部６の表示画面に表示される目盛板、ポインタ、測定波形などの各表示要素の表示位置を個別に計算処理するものであり、目盛板位置計算部５ａ、ポインタ位置計算部５ｂ、波形位置計算部５ｃが設けられている。
【０００９】
表示制御部６は、表示位置計算部５で計算された各表示要素の結果に基づき、各表示要素を表示部７の表示画面上に表示するように制御する。
【００１０】
このような構成において、測定部２で変換されたデジタル値は、制御部１の制御に基づき、測定データとしてメモリ３の測定データ格納部３ａに保存される。
【００１１】
一方、制御部１は、指定された周期ごとに、表示位置計算部５に対して、表示波形の位置に合わせて現在値を明示するポインタの表示位置を更新するように指示する。
【００１２】
表示位置計算部５の目盛板位置計算部５ａは、この指令に基づき、設定データ格納部３ｂから設定情報を読み出し、所定の目盛板を合成領域３ｄに描画する。
【００１３】
表示位置計算部５のポインタ位置計算部５ｂは、測定データ格納部３ａに保存された測定データに基づき、ポインタの位置を計算する。そして、ポインタデータ格納部３ｃからポインタパターンデータを読み出し、合成領域３ｄの目盛板上に描画する。複数の測定チャネルが設定されている場合は、測定チャネルごとのポインタを目盛板上に描画する。
【００１４】
ここで、複数の測定チャネルのポインタを同一形状にして、それらの先端部が共通の目盛板の基底線と接するように配列すると、複数の測定チャネルの測定値が等しくなった場合にはそれらの測定チャネルのポインタが完全に重なってしまい、認識できるポインタは最前面のポインタのみになってしまう。
【００１５】
そこで、表示位置計算部５のポインタ位置計算部５ｂは、各測定チャネルのポインタの位置を共通の目盛板の基底線と直交する時間軸方向に沿ってあらかじめわずかにずらすように一定のオフセット量を与えておき、複数の測定チャネルの測定値が等しくなった場合でもそれぞれのポインタの一部が認識できるようにしている。
【００１６】
さらに、その際、設定データ格納部３ｂから測定チャネルごとに設定部４で設定された色を読み出し、それぞれのポインタを識別できるように色分け表示するとともに、各ポインタにそれぞれのチャネル番号を付加している。
【００１７】
表示位置計算部５の波形位置計算部５ｃは、測定データ格納部３ａに保存された測定データに基づき波形の表示位置を計算し、合成領域３ｄに描画する。
【００１８】
これら目盛板とポインタと波形合成領域３ｄにより描画された図１０に示すような合成画面は、表示制御部６を介して表示部７の表示画面上に表示される。図１０において、各測定チャネルのポインタＰ１〜Ｐ３の位置は、共通の目盛板１０の基底線ＢＬと直交する時間軸方向に沿ってあらかじめ一定のオフセット量を与えておき、わずかにずらして配置されている。
【００１９】
特許文献１には、表示部の表示画面上に表示される各測定チャネル波形の現在の測定値を、ポインタでそれぞれ明示するように構成されたペーパーレスレコーダについて記載されている。
【先行技術文献】
【特許文献】
【００２０】
【特許文献１】特開平１０−２５３４０１号公報
【発明の概要】
【発明が解決しようとする課題】
【００２１】
しかし、このような従来の構成によれば、複数の測定チャネルの測定値が等しくなった場合のポインタ表示は図１１のようになり、表示画面に近づけば色分けによって重なっている測定チャネルを識別できるものの、表示画面から離れてしまうと遠目には見づらくなってしまう。
【００２２】
本発明は、このような問題点を解決するものであり、その目的は、複数の測定チャネルのポインタが重なった場合でも、重なった各測定チャネルのポインタの視認性を改善できるペーパーレスレコーダを実現することにある。
【課題を解決するための手段】
【００２３】
上記目的を達成するために、本発明のうち請求項１に記載の発明は、
記録紙の代わりに２次元表示器を用い、表示画面に表示される共通の目盛板上に測定チャネルに対応し測定チャネルの測定値の変化に応じて移動する複数のポインタを表示するように構成されたペーパーレスレコーダにおいて、
前記複数のポインタのうち、基準となるポインタに対してその他のポインタを時間軸方向に沿って所定量移動させるためのポイント位置計算手段を設け、
複数のポインタが重なった場合に該当するポインタを一時的に時間軸方向に沿って所定量移動させることを特徴とする。
【００２４】
請求項２記載の発明は、請求項１に記載のペーパーレスレコーダにおいて、
先端部が前記目盛板の基底線から離れているポインタには、目盛板の目盛を読み取りやすくするためのポインタと同じ色の補助線が付加されていることを特徴とする。
【００２５】
請求項３記載の発明は、請求項１または請求項２に記載のペーパーレスレコーダにおいて、
各測定チャネルにパターンおよびサイズの異なる任意のポインタを割り当てることを特徴とする。
【００２６】
請求項４記載の発明は、請求項１から請求項３のいずれかに記載のペーパーレスレコーダにおいて、
前記ポイント位置計算手段は、
前記目盛板の横幅や高さを含む寸法データを格納する目盛板寸法データ格納部と、
前記目盛板上に表示されるポインタの大きさを表す寸法データを格納するポインタ寸法データ格納部と、
前記目盛板上に表示されるポインタの数を格納する目盛板上ポインタ数格納部と、
これら目盛板寸法データ格納部とポインタ寸法データ格納部と目盛板上ポインタ数格納部に格納されているそれぞれの値に基づき、基準となるポインタに対してその他のポインタを時間軸方向に沿って移動させるための適切なオフセット量を計算するポインタオフセット量計算部、
を備えていることを特徴とする。
【発明の効果】
【００２８】
本発明によれば、複数の測定チャネルのポインタが重なった場合に、重なった各測定チャネルのポインタの視認性を改善できる。
【図面の簡単な説明】
【００２９】
【図１】本発明の一実施例を示すブロック図である。
【図２】本発明に基づく具体的な表示画面例図である。
【図３】本発明に基づく具体的な他の表示画面例図である。
【図４】本発明で用いるポインタＰのパターン例図である。
【図５】本発明に基づく具体的な他の表示画面例図である。
【図６】本発明の他の実施例に基づく表示例図である。
【図７】本発明の他の実施例を示すブロック図である。
【図８】図７のポインタデータ格納部に格納されているポインタ例図である。
【図９】従来のペーパーレスレコーダの一例を示すブロック図である。
【図１０】従来の表示画面例図である。
【図１１】従来の他の表示画面例図である。
【発明を実施するための最良の形態】
【００３０】
以下、図面を参照して、本発明を詳細に説明する。図１は本発明の一実施例の主要部を示すブロック図であり、図９と共通する部分には同一の符号を付けている。図１と図９の基本構成は共通しているが、表示位置計算部５におけるポインタ位置計算部５ｂの具体的な構成は異なっている。
【００３１】
本発明で用いるポインタ位置計算部５ｂには、目盛板寸法データ格納部５ｂ１と、ポインタ寸法データ格納部５ｂ２と、目盛板上ポインタ数格納部５ｂ３と、ポインタオフセット量計算部５ｂ４が設けられている。
【００３２】
目盛板寸法データ格納部５ｂ１には、表示部７の表示画面上に表示される目盛板１０の横幅や高さを含む寸法データが格納されている。
【００３３】
ポインタ寸法データ格納部５ｂ２には、表示部７の表示画面上で目盛板１０の上に表示されるポインタの大きさを表す寸法データが格納されている。
【００３４】
目盛板上ポインタ数格納部５ｂ３には、設定部４により設定され表示部７の表示画面上に表示される測定チャネル数に基づき、表示部７の表示画面上で目盛板１０の上に表示されるポインタ数が格納されている。
【００３５】
ポインタオフセット量計算部５ｂ４は、これら目盛板寸法データ格納部５ｂ１とポインタ寸法データ格納部５ｂ２と目盛板上ポインタ数格納部５ｂ３に格納されているそれぞれの値に基づき、基準となるポインタに対してその他のポインタを時間軸方向に沿って移動させるための適切なオフセット量を計算する。
【００３６】
図２は本発明に基づく具体的な表示画面例図であり、測定チャネルＣＨ１とＣＨ２の２チャネルのポインタＰ１とＰ２を表示する例を示している。この場合、ポインタオフセット量計算部５ｂ４は、目盛板１０の高さＨの範囲内において、ポインタＰ１を基準としてポインタＰ２が完全に重ならなくなる値、すなわち時間軸方向に沿ったポインタＰ１の高さをポインタＰ２のオフセット量として計算出力する。
【００３７】
図３は本発明に基づく具体的な他の表示画面例図であり、３つの測定チャネルＣＨ１〜ＣＨ３のポインタＰ１〜Ｐ３を表示する例を示している。この場合、３チャネルのポインタＰ１〜Ｐ３が完全に重ならないようにすると、目盛板１０の高さＨの範囲を超えてしまう。
【００３８】
そこで、ポインタオフセット量計算部５ｂ４は、目盛板１０の高さＨの範囲内において、ポインタＰ１を基準として時間軸方向に沿ったＰ２とＰ３の高さの間隔を均等に配分する値をそれぞれのオフセット量として計算出力する。
これにより、測定チャネルＣＨ１〜ＣＨ３の測定値が等しくなってポインタＰ１〜Ｐ３が完全に重なった場合でも、各ポインタＰ１〜Ｐ３の色とチャネル番号表示に基づき、それぞれの測定チャネルＣＨ１〜ＣＨ３を明確に識別できる。
【００３９】
従来の構成では、ポインタの最大同時表示数を考慮して基準のポインタに対する他のポインタのオフセット量を小さくしていたため、実際の使用時におけるポインタが少数であっても、ポインタが重なった場合には背後のポインタが判別しにくくなっていた。これに対し、本発明では、目盛板上に実際に表示されるポインタの数に基づいて基準のポインタに対する他のポインタのオフセット量を計算することにより、オフセット量を可能な限り拡大することができ、目盛板上に実際に表示されるポインタの数が少ない場合の視認性(識別性)を大幅に改善できる。
【００４０】
ところで、図２の測定チャネルＣＨ２のポインタＰ２や図３の測定チャネルＣＨ２、ＣＨ３のポインタＰ２、Ｐ３は、それぞれの先端部が目盛板１０の基底線ＢＬから離れていることから、目盛板１０の目盛が読み取りにくくなってしまう。
【００４１】
これに対しては、ポインタとして、たとえば図４に示すように、ポインタＰの先端から目盛板１０の基底線ＢＬと直交する垂直方向に、目盛板１０の目盛を読み取りやすくするためのポインタＰと同じ色の補助線Ｌが付加されたものを用いる。
【００４２】
これにより、図５に示すように、それぞれの先端部が目盛板１０の基底線ＢＬから離れている測定チャネルＣＨ２、ＣＨ３のポインタＰ２、Ｐ３であっても、正確かつ迅速に目盛板１０の目盛を読み取ることができる。
【００４３】
図６は、本発明の他の実施例に基づく表示例図である。図６では、３つの測定チャネルＣＨ１〜ＣＨ３のポインタＰ１〜Ｐ３が重ならない期間はオフセット量を「０」にしておき、重なった場合のみポインタＰ１を基準として重なったポインタに対して計算値に基づく所定のオフセット量を与えるようにしている。
【００４４】
これにより、ポインタＰ１〜Ｐ３が重ならない期間には、ポインタＰ１〜Ｐ３本体の先端部で目盛板１０の目盛を直接読み取ることができ、目盛版１０上に図５に示すようなポインタＰと同じ色の補助線Ｌがなくなることから、ポインタＰ１〜Ｐ３が重ならない期間の表示を簡素化できる。
【００４５】
また、これらのポインタＰを有するペーパーレスレコーダのユーザーの要求としては、
１）複数台のペーパーレスレコーダを使用して測定レンジが異なる複数の信号を測定監視する場合には、ポインタＰの位置から現在の測定値を読みやすくするために、ポインタＰの形状は目盛板の数値を読み取りやすいように小さい方がよい。
２）複数台のペーパーレスレコーダを使用して同一測定レンジで異なる複数の信号を測定監視する場合には、ポインタＰの位置で現在の測定値がわかるから、マークの形状は大きい方がよい。
３）ポインタＰに複数桁のチャネル番号を付加表示したい。
４）ポインタＰに番号はいらないから、できるだけ小さい方がよい。
などいろいろあるが、ポインタＰの大きさが固定化されている状態ではこれらの要求に応えることはできない。
【００４６】
図７はこれらのユーザー要求に対応できるように構成された本発明の他の実施例を示すブロック図であり、図１と共通する部分には同一の符号を付けている。図７において、メモリ３のポインタデータ格納部３ｃには、図８（Ａ）〜（Ｃ）に示すような、パターンおよびサイズの異なる各種のポインタデータが格納されている。
【００４７】
図８において、（Ａ）のパターンは矩形と三角形を合体した五角形状であるが、そのサイズとしては大・中・小の３種類が格納されている。小型のポインタは目盛板上に描かれた数値や単位などを読みやすくするために、極力小さく形成されている。中型のポインタは目盛板上の文字を邪魔しないように小さめになっているが、たとえば２桁までのチャネル番号を付けられる。大型のポインタは極力目立たつように大きく形成されていて、たとえば３桁までのチャネル番号を付けられる。
【００４８】
（Ｂ）のパターンは、（Ａ）の五角形状のポインタに横串を通したような天秤型であるが、横串を通す位置を変えることによってポインタが重なった場合にも横串の位置で割り当てられた測定チャネルが識別できるようにしている。また、横幅をやや狭くしてスリムにし、複数桁のチャネル番号が付けられるように横書きしている。
【００４９】
（Ｃ）のパターンとしては、全体の比率を一定に保つように形成された大・中・小の３種類が格納されている。このパターン群を選択することにより、ポインタが重なった場合には自動的に測定チャネルごとにポインタの形状を変えることで、手前に表示するものは小さくして後方のものを大きくし、色分けと形状の違いで後方のポインタが見えるようにすることができる。
【００５０】
再び図７において、ユーザーは、設定部４のポインタ選択部４ａから、ペーパーレスレコーダの用途に応じた適切なポインタを選択指定する。たとえば、１）表示画面上のポインタの位置を遠くからでも確認できておおよその値を把握したい場合には大型のポインタを選択し、２）表示画面を遠くから見ることはなく目盛板上におけるポインタの位置に基づき目盛から現在の測定値を正確に読み取りたい場合には小型でスリムなポインタを選択すればよい。
【００５１】
図７の構成によれば、上記１）、２）のような相反するそれぞれのユーザーの要求にも柔軟に対応することができる。
【００５２】
なお、図７の構成においても、必要に応じて図１で説明したポインタオフセット量計算部５ｂ４によるポインタオフセット量計算を併用することで、複数の測定チャネルのポインタが重なった場合でも、重なった各測定チャネルのポインタの視認性をより一層改善できる。
【００５３】
以上説明したように、本発明によれば、複数の測定チャネルのポインタが重なった場合でも、重なった各測定チャネルのポインタの視認性を改善できるペーパーレスレコーダが実現できる。
【符号の説明】
【００５４】
１  制御部
２  測定部
３  メモリ
３ａ  測定データ格納部
３ｂ  設定データ格納部
３ｃ  ポイントデータ格納部
３ｄ  合成領域
４  設定部
４ａ  ポインタ選択部
５  表示位置計算部
５ａ  目盛板位置計算部
５ｂ  ポインタ位置計算部
５ｂ１  目盛板寸法データ格納部
５ｂ２  ポインタ寸法データ格納部
５ｂ３  目盛板上ポインタ数格納部
５ｂ４  ポインタオフセット量計算部
５ｃ  波形位置計算部
６  表示制御部
７  表示部
【図１】
0005500430.tif 000002
【図２】
0005500430.tif 000003
【図３】
0005500430.tif 000004
【図４】
0005500430.tif 000005
【図５】
0005500430.tif 000006
【図６】
0005500430.tif 000007
【図７】
0005500430.tif 000008
【図８】
0005500430.tif 000009
【図９】
0005500430.tif 000010
【図１０】
0005500430.tif 000011
【図１１】
0005500430.tif 000012